(57)【特許請求の範囲】
【請求項１】
画像を投影する画像投影部と、
画像を表示する画像表示部と、
前記画像投影部及び前記画像表示部を制御する制御部と、を有し、
前記制御部は、前記画像投影部が画像を投影し且つ前記画像表示部が画像を表示する場合に、前記画像投影部によって投影される画像の色度と前記画像表示部によって表示される画像の色度とを合わせる制御を行い、
前記画像投影部は、複数の色の光を混色することにより画像を投影するものであり、
前記画像表示部は、前記複数の色の光を混色することにより画像を表示するものであり、
前記制御部は、前記画像表示部によって表示される画像の色度を前記画像投影部によって投影される画像の色度に合わせる制御を行い、
前記画像投影部は、Ｒ光源、Ｂ光源、Ｇ光源を有し、前記Ｇ光源の光量を、前記Ｒ光源及び前記Ｂ光源の光量よりも相対的に高くしており、
前記制御部は、
前記Ｒ光源及び前記Ｂ光源の入力画像データに対して第１のガンマ補正カーブを用いてガンマ補正を行い前記画像表示部へのデータとし、前記Ｇ光源の入力画像データに対して、前記画像表示部の前記Ｇ光源の入力画像データの光量が、前記Ｒ光源及び前記Ｂ光源の入力画像データの光量よりも増加することとなる第２のガンマ補正カーブを用いてガンマ補正を行い前記画像表示部へのデータとすることを特徴とする携帯電子機器。
【請求項２】
前記制御部は、前記他の色の光を前記最も輝度に寄与する色の光よりも少なく出射させる制御を行うことを特徴とする請求項１に記載の携帯電子機器。
【請求項３】
前記制御部は、前記最も輝度に寄与する色の光を前記他の色の光よりも多く出射させる制御を行うことを特徴とする請求項１に記載の携帯電子機器。
【請求項４】
画像を投影する画像投影部と、
画像を表示する画像表示部と、
前記画像投影部及び前記画像表示部を制御する制御部と、を有し、
前記制御部は、前記画像投影部が画像を投影し且つ前記画像表示部が画像を表示する場合に、前記画像投影部によって投影される画像の色度と前記画像表示部によって表示される画像の色度とを合わせる制御を行い、
前記制御部は、前記画像投影部によって投影される画像の色度を前記画像表示部によって表示される画像の色度に合わせる制御を行い、
前記画像投影部は、Ｒ光源、Ｂ光源、Ｇ光源を有し、前記Ｇ光源の光量を、前記Ｒ光源及び前記Ｂ光源の光量よりも相対的に高くしており、
前記制御部は、前記Ｒ光源及び前記Ｂ光源に供給する電流を多くする制御、前記Ｇ光源に供給する電流を少なくする制御、及び、前記Ｇ光源のデューティーを下げる制御のうちの少なくともいずれかの制御により前記画像の色度を合わせる制御を行うことを特徴とする携帯電子機器。
【請求項５】
前記画像投影部は、複数の色の光を混色することにより画像を投影するものであり、
前記画像表示部は、前記複数の色の光を混色することにより画像を表示するものであり、
前記制御部は、前記画像投影部によって投影される画像の色度を前記画像表示部によって表示される画像の色度に合わせる制御を行うことを特徴とする請求項４に記載の携帯電子機器。
【請求項６】
前記制御部は、バッテリから供給される電力で動作している場合に、前記画像投影部によって投影される画像の色度を前記画像表示部によって表示される画像の色度に合わせる制御を行うことを特徴とする請求項５に記載の携帯電子機器。
【請求項７】
画像を投影する画像投影部と、
画像を表示する画像表示部と、
前記画像投影部及び前記画像表示部を制御する制御部と、を有し、
前記制御部は、前記画像投影部が画像を投影し且つ前記画像表示部が画像を表示する場合に、前記画像投影部によって投影される画像の色度と前記画像表示部によって表示される画像の色度とを合わせる制御を行い、
前記制御部は、バッテリから供給される電力で動作しているか、外部電源から供給される電力で動作しているかに応じて、前記画像投影部によって投影される画像の色度を前記画像表示部によって表示される画像の色度に合わせる制御を行い、
前記画像投影部は、Ｒ光源、Ｂ光源、Ｇ光源を有し、前記Ｇ光源の光量を、前記Ｒ光源及び前記Ｂ光源の光量よりも相対的に高くしており、
前記制御部は、前記Ｒ光源及び前記Ｂ光源に供給する電流を多くする制御、前記Ｇ光源に供給する電流を少なくする制御、及び、前記Ｇ光源のデューティーを下げる制御のうちの少なくともいずれかの制御により前記画像の色度を合わせる制御を行うことを特徴とする携帯電子機器。
【請求項８】
画像を投影する画像投影部と、
画像を表示する画像表示部と、
前記画像投影部及び前記画像表示部を制御する制御部と、を有し、
前記制御部は、前記画像投影部が画像を投影し且つ前記画像表示部が画像を表示する場合に、前記画像投影部によって投影される画像の色度と前記画像表示部によって表示される画像の色度とを合わせる制御を行い、
前記制御部は、前記画像投影部が画像を投影し且つ前記画像表示部が画像を表示する場合における前記画像表示部に表示される画像の色度と、前記画像投影部が画像を投影せず且つ前記画像表示部が画像を表示する場合における前記画像表示部に表示される画像の色度とを異ならせる制御を行い、
前記画像投影部は、Ｒ光源、Ｂ光源、Ｇ光源を有し、前記Ｇ光源の光量を、前記Ｒ光源及び前記Ｂ光源の光量よりも相対的に高くしており、
前記制御部は、
前記Ｒ光源及び前記Ｂ光源の入力画像データに対して第１のガンマ補正カーブを用いてガンマ補正を行い前記画像表示部へのデータとし、前記Ｇ光源の入力画像データに対して、前記画像表示部の前記Ｇ光源の入力画像データの光量が、前記Ｒ光源及びＢ光源の入力画像データの光量よりも増加することとなる第２のガンマ補正カーブを用いてガンマ補正を行い前記画像表示部へのデータとすることを特徴とする携帯電子機器。
【請求項９】
画像を投影する画像投影部と、
画像を表示する画像表示部と、
前記画像投影部及び前記画像表示部を制御する制御部と、を有し、
前記制御部は、前記画像投影部が画像を投影し且つ前記画像表示部が画像を表示する場合に、前記画像投影部によって投影される画像の色度と前記画像表示部によって表示される画像の色度とを合わせる制御を行い、
前記制御部は、前記画像投影部が画像を投影し且つ前記画像表示部が画像を表示する場合における前記画像投影部に表示される画像の色度と、前記画像投影部が画像を投影し且つ前記画像表示部が画像を表示しない場合における前記画像投影部が投影する画像の色度とを異ならせる制御を行い、
前記画像投影部は、Ｒ光源、Ｂ光源、Ｇ光源を有し、前記Ｇ光源の光量を、前記Ｒ光源及び前記Ｂ光源の光量よりも相対的に高くしており、
前記制御部は、前記Ｒ光源及び前記Ｂ光源に供給する電流を多くする制御、前記Ｇ光源に供給する電流を少なくする制御、及び、前記Ｇ光源のデューティーを下げる制御のうちの少なくともいずれかの制御により前記画像の色度を合わせる制御を行うことを特徴とする携帯電子機器。
【請求項１０】
画像を投影する画像投影部と、
画像を表示する画像表示部と、
前記画像投影部及び前記画像表示部を制御する制御部と、を有し、
前記制御部は、前記画像投影部が画像を投影し且つ前記画像表示部が画像を表示する場合に、前記画像投影部によって投影される画像の色度と前記画像表示部によって表示される画像の色度とを合わせる制御を行い、
前記画像投影部の光源の温度を測定或いは推定する温度監視部をさらに備え、
前記制御部は、前記色度を合わせる制御を行う際に、前記温度監視部からの温度情報を取得し、当該温度情報に基づいて、前記光源から射出される光の明るさを基準の明るさに近づけるように、前記光源を制御し、
前記画像投影部は、Ｒ光源、Ｂ光源、Ｇ光源を有し、前記Ｇ光源の光量を、前記Ｒ光源及び前記Ｂ光源の光量よりも相対的に高くしており、
前記制御部は、前記Ｒ光源及び前記Ｂ光源に供給する電流を多くする制御、前記Ｇ光源に供給する電流を少なくする制御、及び、前記Ｇ光源のデューティーを下げる制御のうちの少なくともいずれかの制御により前記画像の色度を合わせる制御を行うことを特徴とする携帯電子機器。
【請求項１１】
前記画像投影部は、複数の色の光を混色することにより画像を投影するものであり、前記制御部は、前記複数の色の光ごとの温度変化による明るさの変化率に基づいて、前記光源から射出される光の明るさを前記基準の明るさに近づける制御を行うことを特徴とする請求項１０に記載の携帯電子機器。
【請求項１２】
前記制御部は、前記画像投影部がバッテリから供給される電力で動作しているか、前記画像投影部が外部電源から供給される電力で動作しているかに応じて、前記基準の明るさに近づける制御を行うか否かを切り替えることを特徴とする請求項１１に記載の携帯電子機器。
【請求項１３】
前記制御部は、前記画像投影部が前記外部電源から供給される電力で動作している場合に、前記光源から射出される光の明るさを前記基準の明るさに近づける制御を行うことを特徴とする請求項１２に記載の携帯電子機器。
【請求項１４】
前記制御部は、前記光源の温度が基準温度のときに前記光源から射出される光の明るさを前記基準の明るさとして、前記光源から射出される光の明るさを前記基準の明るさに近づける制御を行うことを特徴とする請求項１０〜１３のいずれか１項に記載の携帯電子機器。
【請求項１５】
前記制御部は、前記複数の色の光のうち、温度変化による明るさの変化率が最も大きな色の現在の明るさを前記基準の明るさとして、前記光源から射出される光の明るさを前記基準の明るさに近づける制御を行うことを特徴とする請求項１１または請求項１２に記載の携帯電子機器。
【請求項１６】
前記制御部は、前記画像投影部が前記バッテリから供給される電力で動作している場合に、前記複数の色の光のうち、温度変化による明るさの変化率が最も大きな色の現在の明るさを前記基準の明るさとして、前記光源から射出される光の明るさを前記基準の明るさに近づける制御を行うことを特徴とする請求項１２に記載の携帯電子機器。
【請求項１７】
前記画像投影部により投影され投影面に表示されている投影画像の色度を検出する色度検出部をさらに備え、
前記制御部は、前記色度を合わせる制御を行う際に、前記色度検出部から色度情報を取得し、当該色度情報に基づいて、前記画像投影部により投影されている投影画像の色度を前記画像表示部により表示されている画像の色度に合わせるように、前記画像投影部を制御することを特徴とする請求項４に記載の携帯電子機器。
【請求項１８】
前記画像表示部の温度を測定或いは推定する温度監視部をさらに備え、
前記制御部は、前記色度を合わせる制御を行う際に、前記温度監視部から温度情報を取得し、当該温度情報に基づいて、前記画像表示部により表示されている画像の色度を求めることを特徴とする請求項１７に記載の携帯電子機器。
【請求項１９】
前記制御部は、前記温度監視部から温度を取得し、温度変化がなくなったら、前記色度検出部を低消費電力モードに遷移させることを特徴とする請求項１８に記載の携帯電子機器。
【請求項２０】
画像又は音声をユーザに通知する通知部を更に備え、
前記色度検出部は、周囲の照度を検出し、
前記制御部は、前記色度検出部により検出された照度が所定の第１の閾値以上の場合には、その旨を前記通知部によりユーザに通知することを特徴とする請求項１７〜１９のいずれか１項に記載の携帯電子機器。
【請求項２１】
前記色度検出部は、周囲の照度を検出し、
前記制御部は、前記色度検出部により検出された照度が所定の第２の閾値以下の場合には、前記画像表示部又は前記画像投影部の明るさを最も暗い設定にすることを特徴とする請求項１７〜２０のいずれか１項に記載の携帯電子機器。
【請求項２２】
前記画像表示部に表示されている画像の色度を検出する第２の色度検出部を更に備え、
前記制御部は、前記画像表示部により表示されている画像の色度を前記第２の色度検出部から取得することを特徴とする請求項１７〜２１のいずれか１項に記載の携帯電子機器。
【発明の詳細な説明】
【技術分野】
【０００１】
本発明は、スクリーンや壁面に画像を投影する画像投影部を有する携帯電子機器に関する。
【背景技術】
【０００２】
従来から、壁面やスクリーンに画像を投影する装置としては、いわゆるプロジェクタがある。このプロジェクタは、商用電源から電力が供給され、所定位置に固定した状態で使用される、いわゆる据え置き型の装置が主流である。この据え置き型のプロジェクタは、固定した状態で、一定箇所の壁面やスクリーンに画像を投影させる。
【０００３】
これに対して、近年、プロジェクタとして、小型で持ち運びが容易な携帯型のプロジェクタが提案されている。例えば、特許文献１には、上キャビネットと、下キャビネットと、上キャビネットおよび下キャビネットを互いに回動可能に接続するヒンジ部とを備え、レンズと光源とを有するプロジェクタが搭載されたプロジェクタ機能付携帯端末が記載されている。
【先行技術文献】
【特許文献】
【０００４】
【特許文献１】特開２００７−９６５４２号公報
【発明の概要】
【発明が解決しようとする課題】
【０００５】
特許文献１に記載されているようなプロジェクタとディスプレイを備える携帯端末においては、プロジェクタによって投影される画像やディスプレイに表示される画像がユーザに違和感を覚えさせないことが好ましい。
【０００６】
本発明は、上記に鑑みてなされたものであって、プロジェクタによって投影される画像やディスプレイに表示される画像が違和感を覚えさせない携帯電子機器を提供することを目的とする。
【課題を解決するための手段】
【０００７】
上述した課題を解決し、目的を達成するために、本発明は、画像を投影する画像投影部と、画像を表示する画像表示部と、前記画像投影部及び前記画像表示部を制御する制御部と、を有し、前記制御部は、前記画像投影部が画像を投影し且つ前記画像表示部が画像を表示する場合に、前記画像投影部によって投影される画像の色度と前記画像表示部によって表示される画像の色度とを合わせる制御を行うことを特徴とする。
【０００８】
ここで、前記制御部は、前記画像表示部によって表示される画像の色度を前記画像投影部によって投影される画像の色度に合わせる制御を行うことが好ましい。
【０００９】
また、前記画像投影部は、複数の色の光を混色することにより画像を投影するものであり、前記複数の色の光の内の最も輝度に寄与する色の光を他の色の光よりも多く出射しており、前記画像表示部は、前記複数の色の光を混色することにより画像を表示するものであり、前記制御部は、前記画像表示部によって表示される画像の色度を前記画像投影部によって投影される画像の色度に合わせる制御を行うことが好ましい。
【００１０】
また、前記制御部は、前記他の色の光を前記最も輝度に寄与する色の光よりも少なく出射させる制御を行うことが好ましい。
【００１１】
また、前記制御部は、前記最も輝度に寄与する色の光を前記他の色の光よりも多く出射させる制御を行うことが好ましい。
【００１２】
また、前記制御部は、前記画像投影部によって投影される画像の色度を前記画像表示部によって表示される画像の色度に合わせる制御を行うことが好ましい。
【００１３】
また、前記画像投影部は、複数の色の光を混色することにより画像を投影するものであり、前記画像表示部は、前記複数の色の光を混色することにより画像を表示するものであり、前記制御部は、前記画像投影部によって投影される画像の色度を前記画像表示部によって表示される画像の色度に合わせる制御を行うことが好ましい。
【００１４】
また、前記制御部は、バッテリから供給される電力で動作している場合に、前記画像投影部によって投影される画像の色度を前記画像表示部によって表示される画像の色度に合わせる制御を行うことが好ましい。
【００１５】
また、前記制御部は、バッテリから供給される電力で動作しているか、外部電源から供給される電力で動作しているかに応じて、前記画像表示部によって表示される画像の色度を前記画像投影部によって投影される画像の色度に合わせる制御または前記画像投影部によって投影される画像の色度を前記画像表示部によって表示される画像の色度に合わせる制御を行うことが好ましい。
【００１６】
また、前記制御部は、前記画像投影部が画像を投影し且つ前記画像表示部が画像を表示する場合における前記画像表示部に表示される画像の色度と、前記画像投影部が画像を投影せず且つ前記画像表示部が画像を表示する場合における前記画像表示部に表示される画像の色度とを異ならせる制御を行うことが好ましい。
【００１７】
また、前記制御部は、前記画像投影部が画像を投影し且つ前記画像表示部が画像を表示する場合における前記画像投影部に表示される画像の色度と、前記画像投影部が画像を投影し且つ前記画像表示部が画像を表示しない場合における前記画像投影部が投影する画像の色度とを異ならせる制御を行うことが好ましい。
【００１８】
また、前記画像投影部の光源の温度を測定或いは推定する温度監視部をさらに備え、前記制御部は、前記色度を合わせる制御を行う際に、前記温度監視部からの温度情報を取得し、当該温度情報に基づいて、前記光源から射出される光の明るさを基準の明るさに近づけるように、前記光源を制御することが望ましい。
【００１９】
また、前記画像投影部は、複数の色の光を混色することにより画像を投影するものであり、前記制御部は、前記複数の色の光ごとの温度変化による明るさの変化率に基づいて、前記光源から射出される光の明るさを前記基準の明るさに近づける制御を行うことが望ましい。
【００２０】
また、前記制御部は、前記画像投影部がバッテリから供給される電力で動作しているか、前記画像投影部が外部電源から供給される電力で動作しているかに応じて、前記基準の明るさに近づける制御を行うか否かを切り替えることが望ましい。
【００２１】
また、前記制御部は、前記画像投影部が前記外部電源から供給される電力で動作している場合に、前記光源から射出される光の明るさを前記基準の明るさに近づける制御を行うことが望ましい。
【００２２】
また、前記制御部は、前記光源の温度が基準温度のときに前記光源から射出される光の明るさを前記基準の明るさとして、前記光源から射出される光の明るさを前記基準の明るさに近づける制御を行うことが望ましい。
【００２３】
また、前記制御部は、前記複数の色の光のうち、温度変化による明るさの変化率が最も大きな色の現在の明るさを前記基準の明るさとして、前記光源から射出される光の明るさを前記基準の明るさに近づける制御を行うことが望ましい。
【００２４】
また、前記制御部は、前記画像投影部が前記バッテリから供給される電力で動作している場合に、前記複数の色の光のうち、温度変化による明るさの変化率が最も大きな色の現在の明るさを前記基準の明るさとして、前記光源から射出される光の明るさを前記基準の明るさに近づける制御を行うことが望ましい。
【００２５】
また、前記画像投影部により投影され投影面に表示されている投影画像の色度を検出する色度検出部をさらに備え、前記制御部は、前記色度を合わせる制御を行う際に、前記色度検出部から色度情報を取得し、当該色度情報に基づいて、前記画像投影部により投影されている投影画像の色度を前記画像表示部により表示されている画像の色度に合わせるように、前記画像投影部を制御することが好ましい。
【００２６】
また、前記画像表示部の温度を測定或いは推定する温度監視部をさらに備え、前記制御部は、前記色度を合わせる制御を行う際に、前記温度監視部から温度情報を取得し、当該温度情報に基づいて、前記画像表示部により表示されている画像の色度を求めることが好ましい。
【００２７】
また、前記制御部は、前記温度監視部から温度を取得し、温度変化がなくなったら、前記色度検出部を低消費電力モードに遷移させることが好ましい。
【００２８】
また、画像又は音声をユーザに通知する通知部を更に備え、前記色度検出部は、周囲の照度を検出し、前記制御部は、前記色度検出部により検出された照度が所定の第１の閾値以上の場合には、その旨を前記通知部によりユーザに通知することが好ましい。
【００２９】
また、前記色度検出部は、周囲の照度を検出し、前記制御部は、前記色度検出部により検出された照度が所定の第２の閾値以下の場合には、前記画像表示部又は前記画像投影部の明るさを最も暗い設定にすることが好ましい。
【００３０】
また、前記画像表示部に表示されている画像の色度を検出する第２の色度検出部を更に備え、前記制御部は、前記画像表示部により表示されている画像の色度を前記第２の色度検出部から取得することが好ましい。
【発明の効果】
【００３１】
本発明にかかる携帯電子機器は、プロジェクタによって投影される画像やディスプレイに表示される画像が違和感を覚えさせないことが可能となるという効果を奏する。
【図面の簡単な説明】
【００３２】
【図１】図１は、携帯電子機器の一実施形態の概略構成を示す斜視図である。
【図２】図２は、図１に示す携帯電子機器の機能の概略構成を示すブロック図である。
【図３】図３は、図１に示す携帯電子機器で画像を表示させている状態を示す説明図である。
【図４】図４は、ディスプレイによって表示される画像の色度領域と、プロジェクタによって投影される画像の色度領域とを示す図である。
【図５】図５は、図４の色度領域の拡大図である。
【図６】図６は、ディスプレイとプロジェクタの動作状態の組み合わせを示す図である。
【図７】図７は、パターン４時に、プロジェクタの色度をディスプレイの色度に合わせる携帯電子機器の動作の一例を示すフロー図である。
【図８−１】図８−１は、プロジェクタのモード０時のＲＧＢ光発生部の制御状態を示す図である。
【図８−２】図８−２は、プロジェクタのモード１時のＲＧＢ光発生部の制御状態を示す図である。
【図８−３】図８−３は、プロジェクタのモード２時のＲＧＢ光発生部の制御状態を示す図である。
【図８−４】図８−４は、プロジェクタのモード３時のＲＧＢ光発生部の制御状態を示す図である。
【図９】図９は、パターン４時に、ディスプレイの色度をプロジェクタの色度に合わせる携帯電子機器の動作の一例を示すフロー図である。
【図１０】図１０は、ガンマ補正カーブの一例を示す図である。
【図１１−１】図１１−１は、Ｒ光を射出する光源の温度と、Ｒ光を射出する光源から射出される光の明るさとの関係を示すグラフである。
【図１１−２】図１１−２は、Ｇ光を射出する光源の温度と、Ｇ光を射出する光源から射出される光の明るさとの関係を示すグラフである。
【図１１−３】図１１−３は、Ｂ光を射出する光源の温度と、Ｂ光を射出する光源から射出される光の明るさとの関係を示すグラフである。
【図１２】図１２は、温度監視部を備える携帯電子機器の概略構成を示すブロック図である。
【図１３】図１３は、温度監視部を備える携帯電子機器の動作の一例を示すフロー図である。
【図１４】図１４は、各光源に供給する電流値を補正するための各係数を温度別に示す図表である。
【図１５−１】図１５−１は、プロジェクタのモード０時であって、温度情報に基づいて明るさが補正されたときのＲＧＢ光発生部の制御状態を示す図である。
【図１５−２】図１５−２は、プロジェクタのモード１時であって、温度情報に基づいて明るさが補正されたときのＲＧＢ光発生部の制御状態を示す図である。
【図１５−３】図１５−３は、プロジェクタのモード２時であって、温度情報に基づいて明るさが補正されたときのＲＧＢ光発生部の制御状態を示す図である。
【図１６】図１６は、Ｒ光の明るさを基準の明るさとし、各光源に供給する電流値を補正するための各係数を温度別に示す図表である。
【図１７】図１７は、Ｂ光の明るさを基準の明るさとし、各光源に供給する電流値を補正するための各係数を温度別に示す図表である。
【図１８】図１８は、プロジェクタの動作時間と、各光源の温度の上昇量との関係を示すグラフである。
【図１９】図１９は、温度監視部を備える他の携帯電子機器の動作の一例を示すフロー図である。
【図２０】図２０は、色度検出部を備える携帯電子機器の概略構成を示す斜視図である。
【図２１】図２１は、色度検出部の検出特性を示すグラフである。
【図２２】図２２は、色度検出部を備える携帯電子機器の概略構成を示すブロック図である。
【図２３】図２３は、色度検出部を備える携帯電子機器の動作の一例を示すフロー図である。
【発明を実施するための形態】
【００３３】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器として携帯電話機を例として説明するが、本発明の適用対象は携帯電話機に限定されるものではなく、例えば、ＰＨＳ（Personal Handyphone System）、ＰＤＡ、ポータブルナビゲーション装置、ノートパソコン、ゲーム機等に対しても本発明は適用できる。
【００３４】
（実施形態１）
まず、携帯電子機器の外観の構成を説明する。図１は、携帯電子機器の一実施形態の概略構成を示す斜視図である。携帯電子機器１０は、無線通信機能を備えた携帯電話機である。携帯電子機器１０は、１つの箱型形状の筐体１１の内部に各部が収納されたストレート形状の携帯電話機である。なお、本実施形態では、筐体１１を１つの箱型形状としたが、ヒンジで連結された２つの部材で構成した折りたたみ可能な筐体や、２つの部材をスライドさせる筐体としてもよい。また、３つ以上の部材を連結した筐体も用いることができる。
【００３５】
筐体１１には、表示部として、図１に示すディスプレイ１２が設けられる。ディスプレイ１２は、所定の画像として、携帯電子機器１０が受信を待機している状態のときに待ち受け画像を表示したり、携帯電子機器１０の操作を補助するために用いられるメニュー画像を表示したりする。
【００３６】
筐体１１には、通話する相手の電話番号や、メール作成時等に文字を入力するための操作キー１３が複数設けられている。さらに、筐体１１の一つの側部（操作キー１３が設けられる面と略直交する面のうちの一つ）には、後述するプロジェクタ３４の動作を制御する専用キー１４が設けられる。なお、操作キー１３及び専用キー１４は、携帯電子機器１０の操作部を構成する。また、筐体１１には、携帯電子機器１０の通話時に音声を受け取るマイク１５、携帯電子機器１０の通話時に音声を発するレシーバ１６が設けられる。
【００３７】
また、筐体１１の上面（一辺が、操作キー１３が設けられる面と接し、他の一辺が、専用キー１４が設けられている面と接している面）には、画像を投影するプロジェクタ３４の光射出部３４ａが設けられている。
【００３８】
図２は、図１に示す携帯電子機器の機能の概略構成を示すブロック図である。図２に示すように携帯電子機器１０は、制御部２２と、記憶部２４と、送受信部２６と、操作部２８と、音声処理部３０と、表示部３２と、プロジェクタ３４と、充電部４８と、バッテリ５０と、を有する。
【００３９】
制御部２２は、ＣＰＵ（Central Processing Unit）等の携帯電子機器１０の全体的な動作を統括的に制御する処理部である。すなわち、携帯電子機器１０の各種の処理が、操作部２８の操作や携帯電子機器１０の記憶部２４に保存されるソフトウェアに応じて適切な手順で実行されるように、送受信部２６や、音声処理部３０や、表示部３２等の動作を制御する。携帯電子機器１０の各種の処理としては、例えば、回線交換網を介して行われる音声通話、電子メールの作成及び送受信、インターネットのＷｅｂ（World Wide Web）サイトの閲覧等がある。また、送受信部２６、音声処理部３０、表示部３２等の動作としては、例えば、送受信部２６による信号の送受信、音声処理部３０による音声の入出力、表示部３２による画像の表示等がある。
【００４０】
制御部２２は、記憶部２４に保存されているプログラム（例えば、オペレーティングシステムプログラム、アプリケーションプログラム等）に基づいて処理を実行する。制御部２２は、例えば、マイクロプロセッサユニット（ＭＰＵ：Micro Processor Unit）で構成され、前記ソフトウェアで指示された手順にしたがって上述した携帯電子機器１０の各種の処理を実行する。すなわち、制御部２２は、記憶部２４に保存されるオペレーティングシステムプログラムやアプリケーションプログラム等から命令コードを順次読み込んで処理を実行する。
【００４１】
制御部２２は、複数のアプリケーションプログラムを実行する機能を有する。制御部２２が実行するアプリケーションプログラムとしては、例えば、プロジェクタの駆動を制御するアプリケーションプログラムや、各種ゲームを作動させるゲームアプリケーションプログラム等の複数のアプリケーションプログラムがある。
【００４２】
記憶部２４には、制御部２２での処理に利用されるソフトウェアやデータ（例えば、ガンマ補正カーブ等）が保存されており、上述した、プロジェクタの駆動を制御するアプリケーションプログラムを作動させるタスクや、各種ゲームアプリケーションプログラムを作動させるタスクが保存されている。また、記憶部２４内のガンマ補正テーブル２４ａには、後述するガンマ補正カーブが記憶されている。
【００４３】
また、記憶部２４には、これらのタスク以外にも、例えば、通信、ダウンロードされた音声データ、あるいは記憶部２４に対する制御に制御部２２が用いるソフトウェア、通信相手の電話番号やメールアドレス等を保存し、管理するアドレス帳、発信音や着信音等の音声ファイル、ソフトウェアの処理過程で用いられる一時的なデータ等が保存されている。なお、ソフトウェアの処理過程で用いられるコンピュータプログラムや一時的なデータは、制御部２２によって記憶部２４に割り当てられた作業領域へ一時的に保存される。記憶部２４は、例えば、不揮発性の記憶デバイス（ＲＯＭ：Read Only Memory等の不揮発性半導体メモリ、ハードディスク装置等）や、読み書き可能な記憶デバイス（例えば、ＳＲＡＭ：Static Random Access Memory、ＤＲＡＭ：Dynamic Random Access Memory）等で構成される。
【００４４】
送受信部２６は、アンテナ２６ａを有し、基地局によって割り当てられるチャネルを介し、基地局との間でＣＤＭＡ方式などによる無線信号回線を確立し、基地局との間で電話通信及び情報通信を行う。
【００４５】
操作部２８は、例えば、電源キー、通話キー、数字キー、文字キー、方向キー、決定キー、発信キーなど、各種の機能が割り当てられた操作キー１３と専用キー１４とで構成され、これらのキーがユーザの操作により入力されると、その操作内容に対応する信号を発生させる。そして、発生した信号は、ユーザの指示として制御部２２へ入力される。
【００４６】
音声処理部３０は、マイク１５に入力される音声信号やレシーバ１６から出力される音声信号の処理を実行する。すなわち、音声処理部３０は、マイク１５から入力される音声を増幅し、ＡＤ変換（Analog Digital変換）を実行した後さらに符号化等の信号処理を施して、ディジタルの音声データに変換して制御部２２へ出力する。また、制御部２２から送られる音声データに対して復号化、ＤＡ変換（Digital Analog変換）、増幅等の処理を施してアナログの音声信号に変換してから、レシーバ１６へ出力する。
【００４７】
表示部３２は、液晶ディスプレイ（ＬＣＤ：Liquid Crystal Display）や、有機ＥＬ（Organic Electro-Luminescence）パネルなどで構成された表示パネル（上述したディスプレイ１２等）を備え、制御部２２から供給される映像データに応じた映像、画像データに応じた画像を表示パネルに表示させる。なお、表示部３２は、ディスプレイ１２に加え、例えば、筐体を閉じた状態でも外部に露出している位置にサブディスプレイを設けてもよい。
【００４８】
プロジェクタ３４は、画像を投影する画像投影機構であり、上述したように、筐体１１の上面に画像を投影する光射出部３４ａが設けられている。ここで、図３は、図１に示す携帯電子機器で画像を表示させている状態を示す説明図である。携帯電子機器１０は、プロジェクタ３４の光射出部３４ａから画像を投影する、つまり画像を構成する光を射出することで、図３に示すように、筐体１１の上面に対向する面にある壁面、スクリーン等のうち、一定の領域（投影領域）に画像を投影することができる。なお、プロジェクタ３４は、制御部２２により動作が制御され、制御部２２から送られる種々の映像、例えば映画、プレゼンテーション資料を投影し、投影領域に表示させる。
【００４９】
また、プロジェクタ３４は、モード設定レジスタ３４ｂと、ＲＧＢ光発生部３４ｃと、画像照射部３４ｄとを有する。
【００５０】
モード設定レジスタ３４ｂには、制御部２２によって値が設定され、ＲＧＢ光発生部３４ｃは、モード設定レジスタ３４ｂに設定された値に応じたモードで光を発生する。なお、モードについては、後で詳細に説明する。
【００５１】
ＲＧＢ光発生部３４ｃは、上述した光を射出する光源であり、Ｒ（レッド）光を射出する光源と、Ｇ（グリーン）光を射出する光源と、Ｂ（ブルー）光を射出する光源とで構成されている。ここで光源としては、ハロゲンライト、ＬＥＤ（発光ダイオード）光源、ＬＤ光源、半導体レーザ等を用いることができる。また、ＲＧＢ光発生部３４ｃは、各光源から射出された光を画像照射部３４ｄの所定位置に所定の角度で入力させるための光学系も有する。ここで光学系としては、ＬＣＤ（Liquid Crystal Monitor）や、ＤＭＤ（Digital Micro-mirror Device）を用いることができる。
【００５２】
画像照射部３４ｄは、ＲＧＢ光発生部３４ｃから射出された光の角度を変化させて、投影領域内の光が到達する位置を走査させつつ、投影させる画像に合わせて照射させるか否かを切り替える。また、画像照射部３４ｄを通過した光は、光射出部３４ａから投影領域に向けて射出される。ここで、画像照射部３４ｄは、１秒間に３０コマの画像を投影させる場合は、１／３０秒でＲ、Ｇ、Ｂのそれぞれの光が投影領域の全面を走査されるようにＲＧＢ光発生部３４ｃから射出された光が投影される位置を切り替える。
【００５３】
プロジェクタ３４は、以上のような構成でありＲＧＢ光発生部３４ｃから射出された光を、投影する画像に合わせて画像照射部３４ｄにより制御し、画像照射部３４ｄを通過した光を光射出部３４ａから投影させることで、投影領域に画像を投影する。
【００５４】
なお、プロジェクタ３４は、光学系を各画素に対応して投影領域の全面に配置し、光源から射出された光を画像に合わせて光学系をオンオフさせることで画像を投影領域の全面に投影させることができる。また、プロジェクタ３４には、レーザ光を光源とし、光源から射出された光を透過させるか否かを切り換える切り換え素子と、切り換え素子を通過した光をラスター走査させるミラーとで構成される光学系とした構成のプロジェクタを用いることもできる。この場合は、ミラーによってレーザ光から射出された光の角度を変えて、投影領域の全面に光源から照射された光を走査させることで、投影領域に画像を投影させることができる。
【００５５】
バッテリ５０は、携帯電子機器１０の各部に電力を供給する。充電部４８は、外部電源（例えば、ＡＣアダプタ、ＵＳＢホストコントローラ等）が接続され、外部電源から電力が供給される場合には、携帯電子機器１０の各部に電力を供給するとともに、バッテリ５０の充電を行う。携帯電子機器１０は、基本的に以上のような構成である。
【００５６】
図４は、携帯電子機器１０において、表示しようとする画像データが基準白色（ＮＴＳＣの場合、（０．３１０，０．３１６））である場合に、ディスプレイ１２が表示を行い且つプロジェクタ３４が投影を行わない場合にディスプレイ１２によって表示される画像の色度領域６０と、プロジェクタ３４が投影を行い且つディスプレイ１２が表示を行わない場合にプロジェクタ３４によって投影される画像の色度領域６２と、をＣＩＥ（国際照明委員会）表色系の色度図上に示す図である。図５は、図４の色度領域６０、６２の拡大図である。なお、色度領域６０、６２が或る程度の大きさを有しているのは、ディスプレイ１２、プロジェクタ３４に個体差があるためである。
【００５７】
図４及び図５に示すように、表示しようとする画像データが基準白色である場合に、ディスプレイ１２によって表示される画像の色度領域６０が略白色であるのに対し、プロジェクタ３４によって投影される画像の色度領域６２は若干緑がかっている。これは、次の様な理由による。
【００５８】
ディスプレイやプロジェクタは、複数の光（例えば、Ｒ、Ｇ、Ｂ等）の混色（例えば、加法混色等）によって、様々な色を表示、投影する。例えば、Ｒ、Ｇ、Ｂの３色の加法混色によって様々な色を表示、投影する場合、輝度Ｙは、下記の式で表される。
Ｙ＝０．２９９０×Ｒ＋０．５８７０×Ｇ＋０．１１４０×Ｂ    ・・・（１）
すなわち、Ｇの光が、Ｒ、Ｂよりも輝度Ｙに寄与する。
【００５９】
プロジェクタにおいては、輝度を高く保つことが好ましい。しかしながら、携帯電子機器１０は、通常バッテリ５０から電力の供給を受けて動作するので、出来る限り消費電力を低減することが好ましい。
【００６０】
そこで、本実施形態においては、輝度Ｙを高くすることと消費電力の低減とを折衷し、プロジェクタ３４において、Ｇの光量をＲ、Ｂの光量よりも相対的に高くすることとしている。これにより、プロジェクタ３４によって投影される画像は若干緑がかってしまうものの、出来る限り輝度Ｙを高くし且つ消費電力を低減することができる。
【００６１】
なお、ここでは、表示しようとする画像データが基準白色である場合を例に挙げて説明したが、表示しようとする画像データが他の色である場合にも、プロジェクタ３４によって投影される画像は若干緑がかる。
【００６２】
図６は、ディスプレイ１２とプロジェクタ３４の動作状態の組み合わせを示す図である。図６に示すように、ディスプレイ１２がオフ（ＯＦＦ）且つプロジェクタ３４がオフ（ＯＦＦ）の場合（パターン１と称する。）、ディスプレイ１２がオン（ＯＮ）且つプロジェクタ３４がオフ（ＯＦＦ）の場合（パターン２と称する。）、ディスプレイ１２がオフ（ＯＦＦ）且つプロジェクタ３４がオン（ＯＮ）の場合（パターン３と称する。）、ディスプレイ１２がオン（ＯＮ）且つプロジェクタ３４がオン（ＯＮ）の場合（パターン４と称する。）の４つのパターンがあり得る。
【００６３】
パターン２、パターン３のように、ディスプレイ１２、プロジェクタ３４のいずれか一方がオンの場合には、上述のようにディスプレイ１２によって表示される画像の色度とプロジェクタ３４によって投影される画像の色度が異なっていても、ユーザに違和感を覚えさせることはない。しかしながら、パターン４のようにディスプレイ１２及びプロジェクタ３４の両方がオンの場合には、上述のようにディスプレイ１２によって表示される画像の色度とプロジェクタ３４によって投影される画像の色度が異なっていると、ユーザに違和感を覚えさせることになる。そこで、本実施形態においては、パターン４の場合に、ユーザに違和感を覚えさせることを防ぐこととしている。
【００６４】
次に、図７を用いて携帯電子機器１０の動作、具体的には、ディスプレイ１２及びプロジェクタ３４の制御動作について説明する。ここで、図７は、上述したパターン４時に、プロジェクタの色度をディスプレイの色度に合わせる携帯電子機器の動作の一例を示すフロー図である。
【００６５】
まず、携帯電子機器１０は、ステップＳ１２として通常の動作を行っている。ここで、通常の動作とは、例えば、待ち受け画像の表示、通話動作、スリープ、サスペンド等、プロジェクタ３４が使用されていない状態である。次に、携帯電子機器１０の制御部２２は、ステップＳ１４として、プロジェクタ３４を起動させる指示、つまり起動指示が入力されているかを判定する。制御部２２は、プロジェクタ３４の起動指示が入力されていない（Ｎｏ）と判定したら、ステップＳ１２に進み、通常動作を続ける。このように、制御部２２は、プロジェクタ３４の起動指示が入力されたことが検出されるまでステップＳ１２とステップＳ１４を繰り返す。
【００６６】
制御部２２は、ステップＳ１４でプロジェクタ起動指示が入力されている、つまり、起動指示あり（Ｙｅｓ）と判定したら、ステップＳ１６として、プロジェクタ３４とディスプレイ１２の同時表示モードであるか、つまり、上述したパターン４であるかを判定する。
【００６７】
制御部２２は、ステップＳ１６でプロジェクタ３４とディスプレイ１２の同時表示モードではない（Ｎｏ）と判定したら、ステップＳ２４として、プロジェクタ３４を起動させ照射状態に制御する。また、制御部２２は、記憶部２４からプロジェクタ３４の動作を制御するためのタスクを読み出し、アプリケーションプログラムを起動させる。これにより、プロジェクタ３４からは、光が照射（射出）され、投影領域に画像が投影される。なお、この場合、モード設定レジスタ３４ｂには、「０ｘ００」（モード設定レジスタ３４ｂのデフォルト値とする。）が設定されており、プロジェクタ３４は、モード０に設定されている。モード設定レジスタ３４ｂは、ＣＰＵのＩ／Ｏアドレス空間にマッピングされており、ＣＰＵからアクセス可能である。
【００６８】
図８−１は、プロジェクタ３４のモード０時のＲＧＢ光発生部３４ｃの制御状態、つまり、Ｒ光源、Ｇ光源、Ｂ光源の各々の電流値（ｍＡ）、電圧値（Ｖ）、デューティ（％）、消費電力（Ｗ）、並びに、Ｒ光源及びＧ光源及びＢ光源の消費電力の合計値の一例を示す図である。
【００６９】
制御部２２は、ステップＳ１６でプロジェクタ３４とディスプレイ１２の同時表示モードである（Ｙｅｓ）と判定したら、ステップＳ１８として、外部電源から電力が供給されているかを判定する。
【００７０】
制御部２２は、ステップＳ１８で外部電源から電力が供給されている（Ｙｅｓ）と判定したら、バッテリ５０の蓄電量が減少することを考慮しなくても良いので、ステップＳ２０として、モード設定レジスタ３４ｂに「０ｘ０１」を設定することにより、プロジェクタ３４のモードを、Ｒ光源、Ｂ光源に供給する電流を多くするモードであるモード１に設定する制御を行う。これにより、プロジェクタ３４によって投影される画像の色度をディスプレイ１２によって表示される画像の色度に合わせることができ、ユーザに違和感を覚えさせることを防ぐことができる。
【００７１】
図８−２は、プロジェクタ３４のモード１時のＲＧＢ光発生部３４ｃの制御状態、つまり、ＲＧＢ光発生部３４ｃのＲ光源、Ｇ光源、Ｂ光源の各々の電流値（ｍＡ）、電圧値（Ｖ）、デューティ（％）、消費電力（Ｗ）、並びに、Ｒ光源及びＧ光源及びＢ光源の消費電力の合計値の一例を示す図である。図８−２に示すように、モード１時においては、モード０時と比較して、Ｒ光源に供給する電流を３３０ｍＡから３６０ｍＡに、Ｂ光源に供給する電流を３３０ｍＡから３６０ｍＡに、それぞれ増加させている。
【００７２】
再び図７を参照すると、制御部２２は、ステップＳ１８で外部電源から電力が供給されていない（Ｎｏ）と判定したら、バッテリ５０の蓄電量が減少することを考慮しなければならないので、ステップＳ２２として、モード設定レジスタ３４ｂに「０ｘ０２」を設定することにより、プロジェクタ３４のモードを、Ｇ光源に供給する電流を少なくするモードであるモード２に設定する制御を行う。これにより、プロジェクタ３４によって投影される画像の輝度は若干下がるものの、プロジェクタ３４によって投影される画像の色度をディスプレイ１２によって表示される画像の色度に合わせることができ、ユーザに違和感を覚えさせることを防ぐことができる。
【００７３】
図８−３は、プロジェクタ３４のモード２時のＲＧＢ光発生部３４ｃの制御状態、つまり、モード２時のＲＧＢ光発生部３４ｃのＲ光源、Ｇ光源、Ｂ光源の各々の電流値（ｍＡ）、電圧値（Ｖ）、デューティ（％）、消費電力（Ｗ）、並びに、Ｒ光源及びＧ光源及びＢ光源の消費電力の合計値の一例を示す図である。図８−３に示すように、モード２時においては、モード０時と比較して、Ｇ光源に供給する電流を３３０ｍＡから３００ｍＡに減少させている。
【００７４】
なお、制御部２２は、ステップＳ２２として、モード設定レジスタ３４ｂに「０ｘ０３」を設定することにより、プロジェクタ３４のモードを、Ｇ光源のデューティを下げるモードであるモード３に設定する制御を行うようにしても良い。これにより、プロジェクタ３４によって投影される画像の輝度は若干下がるものの、プロジェクタ３４によって投影される画像の色度をディスプレイ１２によって表示される画像の色度に合わせることができ、ユーザに違和感を覚えさせることを防ぐことができる。
【００７５】
図８−４は、プロジェクタ３４のモード３時のＲＧＢ光発生部３４ｃの制御状態、つまり、モード３時のＲＧＢ光発生部３４ｃのＲ光源、Ｇ光源、Ｂ光源の各々の電流値（ｍＡ）、電圧値（Ｖ）、デューティ（％）、消費電力（Ｗ）、並びに、Ｒ光源及びＧ光源及びＢ光源の消費電力の合計値の一例を示す図である。図８−４に示すように、モード３時においては、モード０時と比較して、Ｇ光源のデューティを４５％から４０％に下げるとともに、Ｒ光源のデューティを４０％から４３％に、Ｂ光源のデューティを１５％から１７％にそれぞれ上げている。
【００７６】
制御部２２は、ステップＳ１６でプロジェクタ３４とディスプレイ１２の同時表示モードではない（Ｎｏ）と判定したら、または、ステップＳ２０でプロジェクタ３４のモードをモード１に設定したら、または、ステップＳ２２でプロジェクタ３４のモードをモード２またはモード３に設定したら、ステップＳ２４として、プロジェクタ３４を起動させ照射状態に制御する。
【００７７】
次に、制御部２２は、ステップＳ２６として、プロジェクタ３４とディスプレイ１２の同時表示モードを継続させる指示、つまり継続指示が入力されているかを判定する。そして、制御部２２は、継続指示が入力されている（Ｙｅｓ）と判定したら、処理をステップＳ１８に戻し、継続指示が入力されていない（Ｎｏ）と判定したら、ステップＳ２８として、プロジェクタ３４の終了処理を実行し、処理をステップＳ１２に戻す。
【００７８】
次に、図９を用いて携帯電子機器１０の動作、具体的には、ディスプレイ１２及びプロジェクタ３４の制御動作について説明する。ここで、図９は、上述したパターン４時に、ディスプレイの色度をプロジェクタの色度に合わせる携帯電子機器の動作の一例を示すフロー図である。
【００７９】
まず、携帯電子機器１０は、ステップＳ３０として通常の動作を行っている。ここで、通常の動作とは、例えば、待ち受け画像の表示、通話動作、スリープ、サスペンド等、プロジェクタ３４が使用されていない状態である。次に、携帯電子機器１０の制御部２２は、ステップＳ３２として、プロジェクタ３４を起動させる指示、つまり起動指示が入力されているかを判定する。制御部２２は、プロジェクタ３４の起動指示が入力されていない（Ｎｏ）と判定したら、ステップＳ３０に進み、通常動作を続ける。このように、制御部２２は、プロジェクタ３４の起動指示が入力されたことが検出されるまでステップＳ３０とステップＳ３２を繰り返す。
【００８０】
制御部２２は、ステップＳ３２でプロジェクタ起動指示が入力されている、つまり、起動指示あり（Ｙｅｓ）と判定したら、ステップＳ３４として、プロジェクタ３４とディスプレイ１２の同時表示モードであるか、つまり、上述したパターン４であるかを判定する。
【００８１】
制御部２２は、ステップＳ３４でプロジェクタ３４とディスプレイ１２の同時表示モードではない（Ｎｏ）と判定したら、ステップＳ３８として、プロジェクタ３４を起動させ照射状態に制御する。また、制御部２２は、記憶部２４からプロジェクタ３４の動作を制御するためのタスクを読み出し、アプリケーションプログラムを起動させる。これにより、プロジェクタ３４からは、光が照射（射出）され、投影領域に画像が投影される。
【００８２】
図１０は、プロジェクタ３４とディスプレイ１２の同時表示モードではない場合のガンマ補正カーブ７０と、プロジェクタ３４とディスプレイ１２の同時表示モードである場合のガンマ補正カーブ７２の一例を示す図である。制御部２２は、ステップＳ３４でプロジェクタ３４とディスプレイ１２の同時表示モードではない（Ｎｏ）と判定したら、Ｒ、Ｇ、Ｂの全ての入力画像データにガンマ補正カーブ７０を用いてガンマ補正を行い、ガンマ補正カーブ７０を用いたガンマ補正後の出力画像データに基づいてディスプレイ１２に画像を表示させる制御を行う。
【００８３】
再び図９を参照すると、制御部２２は、ステップＳ３４でプロジェクタ３４とディスプレイ１２の同時表示モードである（Ｙｅｓ）と判定したら、ステップＳ３６として、ディスプレイ１２のガンマ補正カーブを調整して、ディスプレイ１２によって表示される画像の色度をプロジェクタ３４によって投影される画像の色度に合わせる制御を行う。具体的には、Ｒ及びＢの入力画像データにはガンマ補正カーブ７０（図１０参照）を用いてガンマ補正を行い、Ｇの入力画像データにはガンマ補正カーブ７２（図１０参照）を用いてガンマ補正を行う。つまり、制御部２２は、ディスプレイ１２のＧの光量をＲ及びＢの光量よりも増加させる制御を行う。これにより、ディスプレイ１２によって表示される画像の色度は若干緑がかるものの、ディスプレイ１２によって表示される画像の色度をプロジェクタ３４によって投影される画像の色度に合わせることができ、ユーザに違和感を覚えさせることを防ぐことができる。
【００８４】
制御部２２は、ステップＳ３４でプロジェクタ３４とディスプレイ１２の同時表示モードではない（Ｎｏ）と判定したら、または、ステップＳ３６でディスプレイ１２のガンマ補正カーブを調整したら、ステップＳ３８として、プロジェクタ３４を起動させ照射状態に制御する。
【００８５】
次に、制御部２２は、ステップＳ４０として、プロジェクタ３４とディスプレイ１２の同時表示モードを継続させる指示、つまり継続指示が入力されているかを判定する。そして、制御部２２は、継続指示が入力されている（Ｙｅｓ）と判定したら、処理をステップＳ３６に戻し、継続指示が入力されていない（Ｎｏ）と判定したら、ステップＳ４２として、プロジェクタ３４の終了処理を実行し、処理をステップＳ３０に戻す。
【００８６】
なお、本実施形態においては、ディスプレイ１２が画像を表示しているときにプロジェクタ３４（画像投影部）が画像の投影を開始する場合について説明したが、プロジェクタ３４（画像投影部）が画像を投影しているときにディスプレイ１２が画像の表示を開始する場合についても、同様に制御可能である。
【００８７】
また、本実施形態においては、モード設定レジスタ３４ｂを用いてプロジェクタ３４（画像投影部）の制御状態（モード）の制御を行うようにしているが、プログラムによってプロジェクタ３４（画像投影部）の制御状態を制御するようにしても良い。
【００８８】
また、本実施形態においては、プロジェクタ３４によって投影される画像の色度をモード設定によって制御することとしているが、ガンマ補正によって制御することとしても良い。また、本実施形態においては、ディスプレイ１２によって表示される画像の色度をガンマ補正によって制御することとしているが、モード設定によって制御することとしても良い。
【００８９】
携帯電子機器１０は、このように、プロジェクタ３４によって投影される画像の色度とディスプレイ１２によって表示される画像の色度とを合わせることで、操作者が、プロジェクタ３４によって投影される画像及びディスプレイ１２によって表示される画像に違和感を覚えることを防ぐことが可能となる。
【００９０】
（実施形態２）
実施形態２では、プロジェクタによって投影される画像と、ディスプレイに表示される画像との差に起因してユーザに与える違和感をさらに好適に低減するための態様を説明する。本実施形態では、プロジェクタ３４の光源であるＲＧＢ光発生部３４ｃの温度に基づいて、ＲＧＢ光発生部３４ｃから射出される光の明るさを補正する点に特徴がある。以下の説明では、ＲＧＢ光発生部３４ｃが有する各光源がＬＥＤ（発光ダイオード）の場合を説明する。
【００９１】
図１１−１は、Ｒ光を射出する光源の温度と、Ｒ光を射出する光源から射出される光の明るさとの関係を示すグラフである。図１１−２は、Ｇ光を射出する光源の温度と、Ｇ光を射出する光源から射出される光の明るさとの関係を示すグラフである。図１１−３は、Ｂ光を射出する光源の温度と、Ｂ光を射出する光源から射出される光の明るさとの関係を示すグラフである。図１１−１から図１１−３の各図の横軸は各光源の温度を示し、縦軸は各光源から射出される光の明るさを示す。以下、２５℃を基準温度とする。基準温度は、想定される標準的な環境でプロジェクタ３４を使用し始めた直後の各光源の温度である。図１１−１から図１１−３の各図では、基準温度で各光源から射出される光の明るさを１００％として表す。
【００９２】
図１１−１から図１１−３の各図に示すように、各光源の温度が上昇するほど、各光源から射出される光の明るさは低下する。特に、図１１−１に示すように、Ｒ光は、光源の温度変化による光の明るさの変化率が他の色の光に比べて大きい。ここで、前記変化率とは、温度が変化した後の光の明るさを、温度が変化する前の光の明るさで除算した値である。Ｒ光は、Ｇ光や、Ｂ光よりも温度の変化による変化率が大きい。よって、光源の温度の上昇量が同じであっても、Ｒ光は、Ｇ光や、Ｂ光よりも光の明るさの低下量が大きい。また、Ｇ光は、Ｂ光よりも温度変化による変化率が大きい。よって、光源の温度の上昇量が同じであっても、Ｇ光は、Ｂ光よりも明るさの低下量が大きい。これにより、各光源の温度が上昇するほど、各光源から射出される各光の明るさの差が大きくなる。すると、各色の明るさのバランスが崩れる。これによって、ユーザに違和感を与えるおそれが考えられる。
【００９３】
図１２は、温度監視部を備える携帯電子機器の概略構成を示すブロック図である。そこで、本実施形態の携帯電子機器８０は、図１２に示すように、温度監視部としての温度センサ８１を備える。温度センサ８１は、例えば、ＲＧＢ光発生部３４ｃに取り付けられる。より具体的には、温度センサ８１は、例えば、ＲＧＢ光発生部３４ｃの各光源を収納するケーシングに取り付けられる。これにより、温度センサ８１は、ＲＧＢ光発生部３４ｃが有する光源の温度を検出する。温度センサ８１は、制御部２２と電気的に接続される。これにより、制御部２２は、温度センサ８１から各光源の温度に関する情報である温度情報を取得する。
【００９４】
ここで、温度センサ８１は、Ｒ光、Ｇ光、Ｂ光をそれぞれ射出する各光源に１つずつ合計３つ設けられるとより好ましい。この場合、制御部２２は、各光源のより正確な温度情報を取得できる。但し、各光源の温度の差はわずかであることが多い。よって、各光源の温度は同一であるとして扱い、温度センサ８１は、ＲＧＢ光発生部３４ｃに１つ設けられて、各光源の温度をまとめて検出しても実用に耐え得る精度で各光源の温度を検出できる。
【００９５】
また、一般的に携帯電子機器８０は、バッテリ５０の温度を検出するセンサや、筐体１１の温度を検出するセンサを備える場合がある。バッテリ５０の温度や、筐体１１の温度は、プロジェクタ３４の各光源の温度とは異なる場合があるが、互いに比例する傾向がある。携帯電子機器８０の制御部２２は、この比例関係に基づいて各光源の温度を推定できる。このようにして、上述のようなセンサを備える携帯電子機器８０では、これらのセンサを温度センサ８１として機能させてもよい。上記構成により、携帯電子機器８０は、各光源に１つずつ合計３つの温度センサ８１が設けられる場合よりも、温度センサ８１の数を低減できる。これにより、携帯電子機器８０は、製造されるために要するコストを低減できる。また、携帯電子機器８０は、筐体１１の大型化を抑制できる。
【００９６】
図１３は、温度監視部を備える携帯電子機器の動作の一例を示すフロー図である。まず、携帯電子機器８０の制御部２２は、ステップＳ５２として通常の動作を行っている。ここで、通常の動作とは、例えば、待ち受け画像の表示、通話動作、スリープ、サスペンド等、プロジェクタ３４が使用されていない状態である。次に、制御部２２は、ステップＳ５４として、プロジェクタ３４を起動させる指示、つまり起動指示が入力されているかを判定する。制御部２２は、プロジェクタ３４の起動指示が入力されていない（Ｎｏ）と判定したら、ステップＳ５２に進み、通常動作を続ける。このように、制御部２２は、プロジェクタ３４の起動指示が入力されたことが検出されるまでステップＳ５２及びステップＳ５４を繰り返す。
【００９７】
制御部２２は、ステップＳ５４でプロジェクタ起動指示が入力されている、つまり、起動指示あり（Ｙｅｓ）と判定したら、ステップＳ５６として、温度センサ８１の動作を開始する。次に、制御部２２は、ステップＳ５８として、プロジェクタ３４とディスプレイ１２の同時表示モードであるか、つまり、上述したパターン４であるかを判定する。制御部２２は、ステップＳ５８でプロジェクタ３４とディスプレイ１２の同時表示モードではない（Ｎｏ）と判定したら、ステップＳ６０として、制御部２２は、各光源の温度情報に基づいて各光源から射出される光の明るさの補正が必要か否かを判定する。具体的には、制御部２２は、温度情報として温度センサ８１から各光源の温度Ｔを取得し、かつ、記憶部２４から基準温度Ｔ０を取得する。そして、制御部２２は、温度Ｔが基準温度Ｔ０と異なるか否かを判定する。ここで、温度Ｔと基準温度Ｔ０との差がわずかな場合もある。この場合、制御部２２は、温度Ｔと基準温度Ｔ０との差が所定値以内の値であれば温度Ｔが基準温度Ｔ０と等しいものとして取り扱ってもよい。前記所定値とは、その温度差によって生じる光の明るさの差を、ユーザが体感できない程度の値である。 
【００９８】
制御部２２は、ステップＳ６０で温度Ｔが基準温度Ｔ０と等しい（Ｎｏ）と判定したら、ステップＳ７８として、プロジェクタ３４を起動させて照射状態に制御する。また、制御部２２は、記憶部２４からプロジェクタ３４の動作を制御するためのタスクを読み出し、アプリケーションプログラムを起動させる。これにより、プロジェクタ３４からは、光が照射（射出）され、投影領域に画像が投影される。なお、この場合、モード設定レジスタ３４ｂには、「０ｘ００」（モード設定レジスタ３４ｂのデフォルト値とする。）が設定されており、プロジェクタ３４は、モード０に設定されている。モード設定レジスタ３４ｂは、ＣＰＵのＩ／Ｏアドレス空間にマッピングされており、ＣＰＵからアクセス可能である。この場合の、ＲＧＢ光発生部３４ｃの制御状態、つまり、Ｒ光源、Ｇ光源、Ｂ光源の各々の電流値（ｍＡ）と、電圧値（Ｖ）と、デューティ（％）と、消費電力（Ｗ）、また、Ｒ光源及びＧ光源及びＢ光源の消費電力の合計値とは、図８−１に示す各値となる。
【００９９】
制御部２２は、ステップＳ６０で温度Ｔが基準温度Ｔ０と異なる（Ｙｅｓ）と判定したら、ステップＳ６２として、Ｒ光、Ｇ光、Ｂ光の明るさを補正する。具体的には、制御部２２は、Ｒ光、Ｇ光、Ｂ光をそれぞれ射出する各光源に供給する電流の値を補正する。このとき、補正の対象となる電流値は、図８−１に示すモード０時の電流値である。
【０１００】
図１４は、各光源に供給する電流値を補正するための各係数を温度別に示す図表である。図１５−１は、プロジェクタのモード０時であって、温度情報に基づいて明るさが補正されたときのＲＧＢ光発生部の制御状態を示す図である。モード０時に各光源から射出される光の明るさを補正する場合、図１４に示す各色の各係数を図８−１に示す各光源に供給される電流値にそれぞれ乗算する。例えば、温度Ｔが４０℃である場合、制御部２２は、図１４に示すように、Ｒ光を射出する光源に供給する電流値を補正するための係数を１０５．３％とする。この係数は、図１１−１に示すＲ光の４０℃での維持率の逆数である。この１０５．３％を、図８−１に示すＲ光を射出する光源に供給される補正前の電流値である３３０に乗算することにより、制御部２２は、Ｒ光を射出する光源に供給する電流値を図１５−１に示す電流値である３４７．４ｍＡに補正する。
【０１０１】
また、制御部２２は、図１４に示すように、Ｇ光を射出する光源に供給する電流値を補正するための係数を１０２．０％とする。この係数は、図１１−２に示すＧ光の４０℃での維持率の逆数である。この１０２．０％を、図８−１に示すＧ光を射出する光源に供給される補正前の電流値である３３０に乗算することにより、制御部２２は、Ｇ光を射出する光源に供給する電流値を、図１５−１に示す電流値である３３６．７ｍＡに補正する。また、制御部２２は、図１４に示すように、Ｂ光を射出する光源に供給する電流値を補正するための係数を１０１．０％とする。この係数は、図１１−３に示すＢ光の４０℃での維持率の逆数である。この１０１．０％を、図８−１に示すＢ光を射出する光源に供給される補正前の電流値である３３０に乗算することにより、制御部２２は、Ｂ光を射出する光源に供給する電流値を、図１５−１に示す電流値である３３３．３ｍＡに補正する。
【０１０２】
図１２に示す記憶部２４は、図１４に示すような、各光源の温度と、各光源に供給する電流値を補正するための各係数とが関連付けられた情報を記憶している。制御部２２は、記憶部２４からこの情報を取得する。また、制御部２２は、温度センサ８１から各光源の現在の温度Ｔを取得する。そして、制御部２２は、記憶部２４から取得した情報から、現在の温度Ｔに関連付けられている係数を光源別に導き出す。次に、制御部２２は、導き出した各係数を、各光源に供給する各電流値にそれぞれ乗算する。このようにして、制御部２２は、各光源に供給する電流値を、各光源の温度に基づいて補正する。
【０１０３】
再び図１３を参照すると、制御部２２は、ステップＳ６２の次にステップＳ７８として、プロジェクタ３４を起動させて照射状態に制御する。また、制御部２２は、記憶部２４からプロジェクタ３４の動作を制御するためのタスクを読み出し、アプリケーションプログラムを起動させる。これにより、プロジェクタ３４からは、光が照射（射出）され、投影領域に画像が投影される。この時、各光源に供給される電流値は、各光源の温度に基づいて補正された値である。よって、プロジェクタ３４が投影する画像は、各光源から射出される光の明るさが基準となる明るさになるように、すなわち、各光源の温度Ｔが基準温度Ｔ０の時に各光源から射出される光の明るさになるように補正された画像となる。よって、プロジェクタ３４は、ユーザに与える違和感を低減できる。
【０１０４】
ここで、他のステップの説明に戻る。制御部２２は、ステップＳ５８でプロジェクタ３４とディスプレイ１２の同時表示モードである（Ｙｅｓ）と判定したら、ステップＳ６４として、外部電源から電力が供給されているかを判定する。制御部２２は、ステップＳ６４で外部電源から電力が供給されている（Ｙｅｓ）と判定したら、バッテリ５０の蓄電量が減少することを考慮しなくても良いので、ステップＳ６６として、モード設定レジスタ３４ｂに「０ｘ０１」を設定することにより、プロジェクタ３４のモードを、Ｒ光源、Ｂ光源に供給する電流を多くするモードであるモード１に設定する制御を行う。これにより、プロジェクタ３４によって投影される画像の色度をディスプレイ１２によって表示される画像の色度に合わせることができ、ユーザに与える違和感を低減できる。
【０１０５】
次に、ステップＳ６８として、制御部２２は、各光源の温度情報に基づいて各光源から射出される光の明るさの補正が必要か否かを判定する。具体的には、制御部２２は、温度情報として温度センサ８１から各光源の温度Ｔを取得し、かつ、記憶部２４から基準温度Ｔ０を取得する。そして、制御部２２は、温度Ｔが基準温度Ｔ０と異なるか否かを判定する。制御部２２は、ステップＳ６８で温度Ｔが基準温度Ｔ０と等しい（Ｎｏ）と判定したら、ステップＳ７８として、プロジェクタ３４を起動させて照射状態に制御する。このとき、モード設定レジスタ３４ｂには「０ｘ０１」が設定されている。この場合の、ＲＧＢ光発生部３４ｃの制御状態、つまり、Ｒ光源、Ｇ光源、Ｂ光源の各々の電流値（ｍＡ）と、電圧値（Ｖ）と、デューティ（％）と、消費電力（Ｗ）、また、Ｒ光源及びＧ光源及びＢ光源の消費電力の合計値とは、図８−２に示す各値となる。
【０１０６】
制御部２２は、ステップＳ６８で温度Ｔが基準温度Ｔ０と異なる（Ｙｅｓ）と判定したら、ステップＳ７０として、Ｒ光、Ｇ光、Ｂ光の明るさを補正する。具体的には、制御部２２は、Ｒ光、Ｇ光、Ｂ光をそれぞれ射出する各光源に供給する電流の値を補正する。このとき、補正の対象となる電流値は、図８−２に示すモード１時の電流値である。
【０１０７】
図１５−２は、プロジェクタのモード１時であって、温度情報に基づいて明るさが補正されたときのＲＧＢ光発生部の制御状態を示す図である。図１５−２に示すように、モード１時に各光源から射出される光の明るさを補正する場合、図１４に示す各色の各係数を図８−２に示す各光源に供給される電流値にそれぞれ乗算する。例えば、温度Ｔが６０℃である場合、制御部２２は、図１４に示すように、Ｒ光を射出する光源に供給する電流値を補正するための係数を１１７．６％とする。この係数は、図１１−１に示すＲ光の６０℃での維持率の逆数である。この１１７．６％を、図８−２に示すＲ光を射出する光源に供給される補正前の電流値である３６０に乗算することにより、制御部２２は、Ｒ光を射出する光源に供給する電流値を図１５−２に示す電流値である４２３．５ｍＡに補正する。
【０１０８】
また、制御部２２は、図１４に示すように、Ｇ光を射出する光源に供給する電流値を補正するための係数を１０８．７％とする。この係数は、図１１−２に示すＧ光の６０℃での維持率の逆数である。この１０８．７％を、図８−２に示すＧ光を射出する光源に供給される補正前の電流値である３３０に乗算することにより、制御部２２は、Ｇ光を射出する光源に供給する電流値を、図１５−２に示す電流値である３５８．７ｍＡに補正する。また、制御部２２は、図１４に示すように、Ｂ光を射出する光源に供給する電流値を補正するための係数を１０２．０％とする。この係数は、図１１−３に示すＢ光の６０℃での維持率の逆数である。この１０２．０％を、図８−２に示すＢ光を射出する光源に供給される補正前の電流値である３６０に乗算することにより、制御部２２は、Ｂ光を射出する光源に供給する電流値を、図１５−２に示す電流値である３６７．３ｍＡに補正する。
【０１０９】
再び図１３を参照すると、制御部２２は、ステップＳ７０の次にステップＳ７８として、プロジェクタ３４を起動させて照射状態に制御する。また、制御部２２は、記憶部２４からプロジェクタ３４の動作を制御するためのタスクを読み出し、アプリケーションプログラムを起動させる。これにより、プロジェクタ３４からは、光が照射（射出）され、投影領域に画像が投影される。この時、各光源に供給される電流値は、各光源の温度に基づいて補正された値である。よって、プロジェクタ３４が投影する画像は、各光源から射出される光の明るさが基準となる明るさになるように補正された画像となる。よって、プロジェクタ３４は、ユーザに与える違和感を低減できる。
【０１１０】
ここで、他のステップの説明に戻る。制御部２２は、ステップＳ６４で外部電源から電力が供給されていない（Ｎｏ）と判定したら、バッテリ５０の蓄電量が減少することを考慮しなければならないので、ステップＳ７２として、モード設定レジスタ３４ｂに「０ｘ０２」を設定することにより、プロジェクタ３４のモードを、Ｇ光源に供給する電流を少なくするモードであるモード２に設定する制御を行う。これにより、プロジェクタ３４によって投影される画像の輝度は若干下がるものの、プロジェクタ３４によって投影される画像の色度をディスプレイ１２によって表示される画像の色度に合わせることができ、ユーザに与える違和感を低減できる。
【０１１１】
次に、ステップＳ７４として、制御部２２は、各光源の温度情報に基づいて各光源から射出される光の明るさの補正が必要か否かを判定する。具体的には、制御部２２は、温度情報として温度センサ８１から各光源の温度Ｔを取得し、かつ、記憶部２４から基準温度Ｔ０を取得する。そして、制御部２２は、温度Ｔが基準温度Ｔ０と異なるか否かを判定する。制御部２２は、ステップＳ７４で温度Ｔが基準温度Ｔ０と等しい（Ｎｏ）と判定したら、ステップＳ７８として、プロジェクタ３４を起動させて照射状態に制御する。このとき、モード設定レジスタ３４ｂには「０ｘ０２」が設定されている。この場合の、ＲＧＢ光発生部３４ｃの制御状態、つまり、Ｒ光源、Ｇ光源、Ｂ光源の各々の電流値（ｍＡ）と、電圧値（Ｖ）と、デューティ（％）と、消費電力（Ｗ）、また、Ｒ光源及びＧ光源及びＢ光源の消費電力の合計値とは、図８−３に示す各値となる。
【０１１２】
制御部２２は、ステップＳ７４で温度Ｔが基準温度Ｔ０と異なる（Ｙｅｓ）と判定したら、ステップＳ７６として、Ｒ光、Ｇ光、Ｂ光の明るさを補正する。具体的には、制御部２２は、Ｒ光、Ｇ光、Ｂ光をそれぞれ射出する各光源に供給する電流の値を補正する。このとき、補正の対象となる電流値は、図８−３に示すモード２時の電流値である。
【０１１３】
図１５−３は、プロジェクタのモード２時であって、温度情報に基づいて明るさが補正されたときのＲＧＢ光発生部の制御状態を示す図である。図１５−３に示すように、モード２時に各光源から射出される光の明るさを補正する場合、図１４に示す各色の各係数を図８−３に示す各光源に供給される電流値にそれぞれ乗算する。ここで、外気温が氷点下以下となる地域で携帯電子機器８０が使用された場合、温度Ｔが０℃となることもある。温度Ｔが０℃である場合、制御部２２は、図１４に示すように、Ｒ光を射出する光源に供給する電流値を補正するための係数を８３．３％とする。この係数は、図１１−１に示すＲ光の０℃での維持率の逆数である。この８３．３％を、図８−３に示すＲ光を射出する光源に供給される補正前の電流値である３３０に乗算することにより、制御部２２は、Ｒ光を射出する光源に供給する電流値を図１５−３に示す電流値である２７５．０ｍＡに補正する。
【０１１４】
また、制御部２２は、図１４に示すように、Ｇ光を射出する光源に供給する電流値を補正するための係数を９５．２％とする。この係数は、図１１−２に示すＧ光の０℃での維持率の逆数である。この９５．２％を、図８−３に示すＧ光を射出する光源に供給される補正前の電流値である３００に乗算することにより、制御部２２は、Ｇ光を射出する光源に供給する電流値を、図１５−３に示す電流値である２８５．７ｍＡに補正する。また、制御部２２は、図１４に示すように、Ｂ光を射出する光源に供給する電流値を補正するための係数を９９．０％とする。この係数は、図１１−３に示すＢ光の０℃での維持率の逆数である。この９９．０％を、図８−３に示すＢ光を射出する光源に供給される補正前の電流値である３３０に乗算することにより、制御部２２は、Ｂ光を射出する光源に供給する電流値を、図１５−３に示す電流値である３２６．７ｍＡに補正する。
【０１１５】
再び図１３を参照すると、制御部２２は、ステップＳ７６の次にステップＳ７８として、プロジェクタ３４を起動させて照射状態に制御する。また、制御部２２は、記憶部２４からプロジェクタ３４の動作を制御するためのタスクを読み出し、アプリケーションプログラムを起動させる。これにより、プロジェクタ３４からは、光が照射（射出）され、投影領域に画像が投影される。この時、各光源に供給される電流値は、各光源の温度に基づいて補正された値である。よって、プロジェクタ３４が投影する画像は、各光源から射出される光の明るさが基準となる明るさになるように補正された画像となる。よって、プロジェクタ３４は、ユーザに与える違和感を低減できる。
【０１１６】
次に、制御部２２は、ステップＳ８０として、プロジェクタ３４の動作を継続させる指示が入力されているかを判定する。そして、制御部２２は、前記指示が入力されている（Ｙｅｓ）と判定したら、ステップＳ５８に戻って、ステップＳ５８以降の一連のステップを実行する。制御部２２は、ステップＳ８０でプロジェクタ３４の動作を継続させる指示が入力されていない（Ｎｏ）と判定したら、ステップＳ８２として、プロジェクタ３４の終了処理を実行し、一連の手順の実行を終了する。制御部２２は、以上の一連の手順の実行を終了すると、再度ステップＳ５２に戻って上述の一連の手順を実行する。
【０１１７】
以上のように、制御部２２は、複数の色の光ごとの温度変化による明るさの変化率に基づいて、各光源から射出される光の明るさを補正する。具体的には、制御部２２は、複数の色の光ごとの温度変化による明るさの変化率の逆数を、各光源に供給する予定である電流値に乗算することで、各光源から射出される光の明るさを補正する。これにより、各光源から射出される光の明るさは、基準温度で各光源から射出される光の値に近づく。よって、制御部２２は、各光源の温度が変化した場合であっても、各色の明るさのバランスを維持できる。これによって、制御部２２は、ユーザに与える違和感を低減できる。
【０１１８】
ここで、制御部２２は、ＲＧＢ光発生部３４ｃがバッテリ５０で動作しているか、ＲＧＢ光発生部３４ｃが外部電源で動作しているかによって、温度情報に基づいた光の明るさの補正を行うか否かを切り替えると好ましい。例えば、制御部２２は、ステップＳ７４と、ステップＳ７６とを実行しない。この場合、制御部２２は、プロジェクタ３４がバッテリ５０で動作している際は、各光源の温度に基づいた補正を行わないことになる。各光源の温度に基づいた補正を各光源に供給する電流値に対して行うと、想定される標準的な環境では、図１４に示す係数を用いるため、プロジェクタ３４が消費する電力量が温度に基づく補正前の値よりも増加する。よって、制御部２２は、プロジェクタ３４がバッテリ５０で動作している際は、各光源の温度に基づいた補正を行わないことにより、プロジェクタ３４が消費する電力量を低減できる。よって、制御部２２は、プロジェクタ３４をより長い時間バッテリ５０で動作させることができる。なお、例えば、携帯電子機器８０に外部電源が接続されてバッテリ５０が充電されている状態で、ＲＧＢ光発生部３４ｃがバッテリ５０で動作している場合は、ＲＧＢ光発生部３４ｃが外部電源で動作しているものとして取り扱う。
【０１１９】
図１６は、Ｒ光の明るさを基準の明るさとし、各光源に供給する電流値を補正するための各係数を温度別に示す図表である。上述の制御部２２は、基準温度Ｔ０の時に各光源から射出される光の明るさを基準の明るさとし、実際に各光源から射出される光の明るさが基準の明るさとなるように、各光源に供給する電流値を補正する。ここで、制御部２２が基準とする光の明るさは、基準温度Ｔ０の時に各光源から射出される光の明るさに限定されない。制御部２２は、例えば、各光源の現在の温度Ｔが温度Ｔ１であるとすると、温度Ｔ１時に各光源からそれぞれ射出されるＲ光、Ｇ光、Ｂ光のうちのいずれかの光の明るさを基準の明るさとしてもよい。
【０１２０】
図１１−１から図１１−３に示すように、Ｒ光は温度の変化よる明るさの変化率が他の光に比べて大きい。よって、例えば、制御部２２は、各光源の現在の温度Ｔ１時のＲ光の明るさに合わせるように、他の光源に供給する電流値を補正する。この場合、制御部２２は、図１６に示すように、Ｒ光を射出する光源に供給する電流値を補正せず、Ｇ光を射出する光源に供給する電流値と、Ｂ光を射出する光源に供給する電流値とを補正する。この場合であっても、制御部２２は、各光源の温度が変化した場合に、各色の明るさのバランスを維持できる。これによって、制御部２２は、ユーザに与える違和感を低減できる。
【０１２１】
また、図１６に示す係数を用いることにより、想定される標準的な環境での基準温度である２５℃以上で、各光源に供給される電流値は各光源の温度に基づく補正がなされる前の値以下となる。これにより、標準的な環境では、プロジェクタ３４によって投影される画像の輝度は若干下がるものの、制御部２２は、プロジェクタ３４の動作に必要な電力量を低減できる。例えば、図１３に示すステップＳ７６では、ステップＳ６４でプロジェクタ３４がバッテリ５０によって動作していると制御部２２が判定している。よって、制御部２２は、バッテリ５０の蓄電量が減少することを考慮する必要がある。したがって、制御部２２は、ステップＳ７６で図１６に示す係数を用いると好ましい。これにより、携帯電子機器８０は、プロジェクタ３４が消費する電力量を低減できるため、プロジェクタ３４をより長い時間動作させることができる。
【０１２２】
図１７は、Ｂ光の明るさを基準の明るさとし、各光源に供給する電流値を補正するための各係数を温度別に示す図表である。ここで、プロジェクタ３４の動作に必要な電力量の低減と共に、プロジェクタ３４によって投影される画像の輝度の低下も抑制する場合、制御部２２は、図１７に示す係数を用いると好ましい。図１７に示す各係数は、Ｂ光の明るさに合わせるように、他の光源に供給する電流値を補正するための係数である。図１１−１から図１１−３に示すように、Ｂ光は温度の変化による明るさの変化率が他の光に比よりも小さい。この場合、制御部２２は、図１７に示すように、Ｂ光を射出する光源に供給する電流値を補正せず、Ｒ光を射出する光源に供給する電流値と、Ｇ光を射出する光源に供給する電流値とを補正する。この場合であっても、制御部２２は、各光源の温度が変化した場合に、各色の明るさのバランスを維持できる。これによって、制御部２２は、ユーザに与える違和感を低減できる。
【０１２３】
図１７に示す係数を用いることにより、各光源に供給される電流値は、想定される標準的な環境での基準温度である２５℃以上で、制御部２２は図１６に示す係数を用いた場合よりも大きくなる。しかしながら、図１７に示す係数を用いることにより、想定される標準的な環境での基準温度である２５℃以上で、各光源に供給される電流値は各光源の温度に基づく補正がなされる前の値以下となる。これにより、標準的な環境では、プロジェクタ３４によって投影される画像の輝度の低下を抑制しつつ、制御部２２は、プロジェクタ３４の動作に必要な電力量も低減できる。次に、温度センサ８１を備えずに、各光源の温度に基づいて各光源に供給する電流値を補正する携帯電子機器を説明する。
【０１２４】
図１８は、プロジェクタの動作時間と、各光源の温度の上昇量との関係を示すグラフである。図１９は、温度監視部を備える他の携帯電子機器の動作の一例を示すフロー図である。プロジェクタの動作時間と、各光源の温度の上昇量とには、図１８に示すような関係がある。よって、制御部２２は、図１３に示すステップＳ５６に替えて、図１９に示すように、プロジェクタ３４の動作時間のカウントを開始するステップＳ９２を実行する。この場合、制御部２２は、さらに、ステップＳ６０の直前に各光源の現在の温度Ｔを推定するステップＳ９４を実行する。また、制御部２２は、ステップＳ６８の直前に各光源の現在の温度Ｔを推定するステップＳ９６を実行する。また、制御部２２は、ステップＳ７４の直前に、各光源の現在の温度Ｔを推定するステップＳ９８を実行する。
【０１２５】
具体的には、図１２に示す記憶部２４は、図１８に示すような、プロジェクタ３４の動作時間と、各光源の温度の上昇量とが関連付けられた情報を記憶している。制御部２２は、記憶部２４からこの情報を取得する。そして、制御部２２は、記憶部２４から取得した情報から、プロジェクタ３４の現在の動作時間に関連付けられている温度の上昇量を導き出す。次に、制御部２２は、導き出した温度の上昇量を、例えば標準的な環境での基準温度である２５℃に加算する。これにより、制御部２２は現在の各光源の温度Ｔを推定する。この場合、携帯電子機器８０は、図１２に示す温度センサ８１を備えなくても、各光源の温度に基づいて各光源に供給する電流値を補正できる。これにより、携帯電子機器８０は、製造されるために要するコストを低減できる。また、携帯電子機器８０は、筐体１１の大型化を抑制できる。
【０１２６】
また、以上の説明では、制御部２２は、各光源に供給する電流値を変化させることで、各光源から射出される光の明るさを補正すると説明したが、制御部２２は、各光源のデューティを変化させてもよい。各光源のデューティを変化させると、各光源から射出される光の明るさも変化する。この場合、例えば、制御部２２は、図８−１に示す各デューティに、図１４に示す各係数を乗算して各光源のデューティを補正する。この場合であっても、制御部２２は、各光源の温度が変化した場合に、各色の明るさのバランスを維持できる。これによって、制御部２２は、ユーザに与える違和感を低減できる。
【０１２７】
（実施形態３）
実施形態３では、プロジェクタによって投影される画像と、ディスプレイに表示される画像との差に起因してユーザに与える違和感をさらに好適に低減するための態様を説明する。本実施形態では、プロジェクタ３４により投影面（壁面、スクリーン等）に表示されている画像の色度に基づいて、ＲＧＢ光発生部３４ｃから射出される光の色度を補正する点に特徴がある。以下の説明では、ＲＧＢ光発生部３４ｃが有する各光源がＬＥＤ（発光ダイオード）の場合を説明する。
【０１２８】
まず、携帯電子機器の外観の構成を説明する。図２０は、携帯電子機器の本実施形態の概略構成を示す斜視図である。携帯電子機器９０の筐体１１の上面（一辺が、操作キー１３が設けられる面と接し、他の一辺が、専用キー１４が設けられている面と接している面）には、画像を投影するプロジェクタ３４の光射出部３４ａが設けられているとともに、色度検出部としてのＲＧＢセンサ９１が設けられている。ＲＧＢセンサ９１は、波長が３８０ｎｍ〜７８０ｎｍの範囲の可視光線領域をＲ光、Ｇ光、Ｂ光それぞれの色毎に分けて検出でき、照度測定も可能なセンサである。ＲＧＢセンサ９１は、３チャネルのフォト・ダイオードにＲ、Ｇ、Ｂ各色の光学フィルタを組み合わせた構成を有しており、１つのセンサでＲ光、Ｇ光、Ｂ光の検出を行うことができる。図２１は、ＲＧＢセンサ９１で検出可能な波長（ｎｍ）と、Ｒ光、Ｇ光、Ｂ光毎の相対感度（％）との関係の一例を示すグラフである。図２１の横軸は波長（ｎｍ）を示し、縦軸は各波長での相対感度（％）を示す。なお、図２１のグラフでは、Ｒ光の最も高い感度を１００％としている。
【０１２９】
図２２は、色度検出部を備える携帯電子機器の概略構成を示すブロック図である。ここで、本実施形態の携帯電子機器９０は、図２２に示すように、色度検出部としてのＲＧＢセンサ９１を備える。ＲＧＢセンサ９１は、例えば、携帯電子機器９０の筐体１１の光射出部３４ａが設けられている面に取り付けられる。これにより、ＲＧＢセンサ９１は、光射出部３４ａから壁面、スクリーン等に投影された投影画像の色度を検出する。ＲＧＢセンサ９１は、制御部２２と電気的に接続される。これにより、制御部２２は、ＲＧＢセンサ９１から投影画像の色度に関する情報である色度情報を取得する。
【０１３０】
また、ディスプレイ１２は、温度に応じて色度が変化する。そこで、図２２に示す記憶部２４は、ディスプレイ１２の温度と色度とが関連付けられたディスプレイ温度特性テーブル２４ｂを記憶している。制御部２２は、ディスプレイ温度特性テーブル２４ｂを参照することにより、ディスプレイ１２の温度に関連付けられた色度を取得することができる。
【０１３１】
なお、ディスプレイ１２の温度を検出するために、ディスプレイ１２に温度センサを設けるとより好ましい。この場合、制御部２２は、ディスプレイ１２のより正確な温度情報を取得できる。また、ＲＧＢ光発生部３４ｃの温度は、ディスプレイ１２の温度とは異なる場合があるが、互いに比例する傾向がある。携帯電子機器９０の制御部２２は、この比例関係に基づいて、ＲＧＢ光発生部３４ｃの温度を検出する温度センサ８１の検出結果からディスプレイ１２の温度を推定できる。また、一般的に携帯電子機器９０は、バッテリ５０の温度を検出するセンサや、筐体１１の温度を検出するセンサを備える場合がある。バッテリ５０の温度や、筐体１１の温度は、ディスプレイ１２の温度とは異なる場合があるが、互いに比例する傾向がある。携帯電子機器９０の制御部２２は、この比例関係に基づいて各光源の温度を推定できる。このようにして、上述のようなセンサを備える携帯電子機器９０では、これらのセンサをディスプレイ１２の温度を検出する温度センサとして機能させてもよい。上記構成により、携帯電子機器９０は、ディスプレイ１２に温度センサが設けられる場合よりも、温度センサの数を低減できる。これにより、携帯電子機器９０は、製造されるために要するコストを低減できる。また、携帯電子機器９０は、筐体１１の大型化を抑制できる。
【０１３２】
次に、図２３を用いて、色度検出部を備える携帯電子機器の動作、具体的には、ディスプレイ１２及びプロジェクタ３４の制御動作について説明する。ここで、図２３は、上述したパターン４時に、プロジェクタの色度をディスプレイの色度に合わせる携帯電子機器の動作の一例を示すフロー図である。
【０１３３】
まず、携帯電子機器９０の制御部２２は、ステップＳ１０２として、プロジェクタ３４を起動させる指示、つまり起動指示が入力されているかを判定する。制御部２２は、プロジェクタ３４の起動指示が入力されていない（Ｎｏ）と判定したら、処理を終了する。
【０１３４】
制御部２２は、ステップＳ１０２でプロジェクタ３４の起動指示が入力されている（Ｙｅｓ）と判定したら、ステップＳ１０４として、ＲＧＢセンサ９１を起動させる。次に、制御部２２は、ステップＳ１０６として、ＲＧＢセンサ９１により携帯電子機器９０の周囲の照度を測定させる。
【０１３５】
次に、制御部２２は、ステップＳ１０８として、携帯電子機器９０の周囲の照度が所定の第１の閾値、例えば、８００ルクス以上であるか否かを判定する。なお、この閾値は例示であり、他の閾値を用いても良い。また、この閾値はユーザにより設定可能であっても良い。
【０１３６】
制御部２２は、ステップＳ１０８で携帯電子機器９０の周囲の照度が所定の第１の閾値以上である（Ｙｅｓ）と判定したら、ステップＳ１１０として、携帯電子機器９０の周囲が明るすぎて投影画像が見づらい旨をディスプレイ１２に表示させて、ユーザに通知する。なお、制御部２２は、携帯電子機器９０の周囲が明るすぎて投影画像が見づらい旨を表す音声をレシーバ１６により出力しても良い。
【０１３７】
次に、制御部２２は、ステップＳ１１２として、画像を投影させる指示、つまり投影指示が入力されているかを判定する。制御部２２は、投影指示が入力されていない（Ｎｏ）と判定したら、処理を終了する。
【０１３８】
また、制御部２２は、ステップＳ１０８で携帯電子機器９０の周囲の照度が所定の第１の閾値以上ではない（Ｎｏ）と判定したら、ステップＳ１１４として、携帯電子機器９０の周囲の照度が所定の第２の閾値、例えば、５０ルクス以下であるか否かを判定する。なお、この閾値は例示であり、他の閾値を用いても良い。また、この閾値はユーザにより設定可能であっても良い。
【０１３９】
制御部２２は、ステップＳ１１４で携帯電子機器９０の周囲の照度が所定の第２の閾値以下である（Ｙｅｓ）と判定したら、ステップＳ１１６として、ディスプレイ１２の明るさを最暗設定とする。これにより、消費電力を低減することができ、また、ユーザがディスプレイ１２の画像が眩しいと感じることを低減することができる。なお、ディスプレイ１２の明るさを最暗設定にするとともに、プロジェクタ３４の明るさを最暗設定にしても良い。これにより、消費電力を更に低減することができる。
【０１４０】
制御部２２は、ステップＳ１１２で投影指示が入力されている（Ｙｅｓ）と判定したら、ステップＳ１１４で携帯電子機器９０の周囲の照度が所定の第２の閾値以下ではない（Ｎｏ）と判定したら、又は、ステップＳ１１６を実行したら、ステップＳ１１８として、プロジェクタ３４の照射時間の計時を開始する。
【０１４１】
次に、制御部２２は、ステップＳ１２０として、ディスプレイ１２の温度監視を開始する。なお、制御部２２は、温度監視を開始したときに測定されたディスプレイ１２の温度を基準温度として記憶部２４に記憶する。
【０１４２】
次に、制御部２２は、ステップＳ１２２として、プロジェクタ３４により照射（画像の投影）を開始する。また、制御部２２は、記憶部２４からプロジェクタ３４の動作を制御するためのタスクを読み出し、アプリケーションプログラムを起動させる。これにより、プロジェクタ３４からは、光が照射（射出）され、投影領域に画像が投影される。
【０１４３】
次に、制御部２２は、ステップＳ１２４として、ＲＧＢセンサ９１を起動させ、プロジェクタ３４による投影画像の色度を測定し、ＲＧＢセンサ９１から色度情報を取得する。このように、実際に投影されている投影画像の色度をＲＧＢセンサ９１により取得することで、次のような効果が得られる。例えば、壁面、スクリーン等が白色ではない場合、例えば、青みがかっている場合には、投影画像は青みがかって見える。このような場合に、制御部２２は、実際に投影されている投影画像の色度をＲＧＢセンサ９１により取得することで、投影画像が青みがかっていることを識別することができる。つまり、制御部２２は、ユーザの目で認識される投影画像の色度を測定することができる。
【０１４４】
次に、制御部２２は、ステップＳ１２６として、照射時間が前回の温度測定時から所定時間、例えば、１分経過したか否かを判定する。なお、この所定時間は例示であり、他の所定時間を用いても良い。また、この所定時間はユーザにより設定可能であっても良い。制御部２２は、ステップＳ１２６で照射時間が前回の温度測定時から所定時間経過していない（Ｎｏ）と判定したら、ステップＳ１２６で待機する。
【０１４５】
制御部２２は、ステップＳ１２６で照射時間が前回の温度測定時から所定時間経過している（Ｙｅｓ）と判定したら、ステップＳ１２８として、ディスプレイ１２の温度測定を行う。
【０１４６】
次に、制御部２２は、ステップＳ１３０として、ステップＳ１２８で測定したディスプレイ１２の温度が前回測定時の温度から変化しているか否かを判定する。
【０１４７】
制御部２２は、ステップＳ１３０でディスプレイ１２の温度が前回測定時の温度から変化している（Ｙｅｓ）と判定したら、ステップＳ１３２として、プロジェクタ３４による投影画像の色度をＲＧＢセンサ９１により測定し、ＲＧＢセンサ９１から色度情報を取得する。
【０１４８】
次に、制御部２２は、ステップＳ１３４として、ディスプレイ１２に表示されている画像の色度とプロジェクタ３４により投影されている投影画像の色度がずれているか否かを判定する。なお、制御部２２は、記憶部２４に記憶されているディスプレイ温度特性テーブル２４ｂを参照し現在の温度に関連付けられている色度を読み出すことで、ディスプレイ１２の色度を取得することができる。また、制御部２２は、ステップＳ１３２での色度測定により、プロジェクタ３４により投影されている投影画像の色度を取得することができる。制御部２２は、ディスプレイ１２の色度とプロジェクタ３４により投影されている投影画像の色度とを比較することで、ディスプレイ１２に表示されている画像の色度とプロジェクタ３４により投影されている投影画像の色度がずれているか否かを判定する。
【０１４９】
制御部２２は、ステップＳ１３４でディスプレイ１２に表示されている画像の色度とプロジェクタ３４により投影されている投影画像の色度がずれていない（Ｎｏ）と判定したら、処理をステップＳ１２６に進める。
【０１５０】
制御部２２は、ステップＳ１３４でディスプレイ１２に表示されている画像の色度とプロジェクタ３４により投影されている投影画像の色度がずれている（Ｙｅｓ）と判定したら、ステップＳ１３６として、プロジェクタ３４のＲ、Ｇ、Ｂの各光源であるＬＥＤに流す電流値を補正して、Ｒ、Ｇ、Ｂの各光源から射出される光を補正することにより、プロジェクタ３４により投影されている投影画像の色度をディスプレイ１２に表示されている色度に合わせる（近づける）ように補正する。このとき、制御部２２は、投影画像の色度がＲＧＢセンサ９１により測定され制御部２２にフィードバックされているので、プロジェクタ３４のＲ、Ｇ、Ｂの各光源であるＬＥＤに流す電流値を補正することにより、プロジェクタ３４により投影されている投影画像の色度を所望の色度、つまりディスプレイ１２に表示されている画像の色度に合わせるように補正することができる。なお、ここでは、制御部２２がプロジェクタ３４のＲ、Ｇ、Ｂの各光源であるＬＥＤに流す電流値を補正することとしたが、制御部２２が各光源のデューティを変化させて、Ｒ、Ｇ、Ｂの各光源から射出される光を補正することにより、プロジェクタ３４により投影されている投影画像の色度をディスプレイ１２に表示されている画像の色度に合わせるように補正することとしてもよい。制御部２２は、ステップＳ１３６を実行した後、処理をステップＳ１２６に進める。
【０１５１】
また、制御部２２は、ステップＳ１３０でディスプレイ１２の温度が前回測定時の温度から変化していない（Ｎｏ）と判定したら、ステップＳ１３８として、現在の温度が基準温度（ステップＳ１２０で測定）から変化しているか否かを判定する。制御部２２は、ステップＳ１３８で現在の温度が基準温度から変化していない（Ｎｏ）と判定したら、処理をステップＳ１２６に進める。
【０１５２】
制御部２２は、ステップＳ１３８で現在の温度が基準温度から変化している（Ｙｅｓ）と判定したら、ステップＳ１４０として、携帯電子機器９０が飽和温度に達したと判定する。
【０１５３】
次に、制御部２２は、ステップＳ１４２として、ＲＧＢセンサ９１をスタンバイモード（低消費電力モード）に遷移させる。このようにＲＧＢセンサ９１をスタンバイモードに遷移させるのは次の理由による。つまり、温度変化がない場合には、ディスプレイ１２に表示されている画像の色度及びプロジェクタ３４により投影されている投影画像の色度に殆ど変化がなく、ＲＧＢセンサ９１による色度測定を行う必要性が低いので、ＲＧＢセンサ９１をスタンバイモードに遷移させて消費電力を低減するためである。
【０１５４】
次に、制御部２２は、ステップＳ１４４として、照射時間の計時開始（ステップＳ１１８）から携帯電子機器９０が飽和温度に達したときまでの時間である飽和時間と、ステップＳ１３６でプロジェクタ３４のＲ、Ｇ、Ｂの各光源であるＬＥＤに流す電流値を補正したときの補正値と、を記憶部２４に記憶する。
【０１５５】
次に、制御部２２は、ステップＳ１４６として、プロジェクタ３４により照射（画像の投影）が継続されているか否かを判定する。
【０１５６】
制御部２２は、ステップＳ１４６でプロジェクタ３４により照射（画像の投影）が継続されている（Ｙｅｓ）と判定したら、ステップＳ１４８として、ステップＳ１４４で記憶部２４に記憶した補正値を維持することにより、プロジェクタ３４により投影されている投影画像の色度を維持する。制御部２２は、その後処理をステップＳ１４６に進める。
【０１５７】
また、制御部２２は、ステップＳ１４６でプロジェクタ３４により照射（画像の投影）が継続されていない（Ｎｏ）と判定したら、処理を終了する。
【０１５８】
以上のように、携帯電子機器９０は、プロジェクタ３４により投影されている投影画像の色度をＲＧＢセンサ９１により検出し、プロジェクタ３４のＲ、Ｇ、Ｂの各光源から射出される光を補正することにより、投影画像の色度をディスプレイ１２に表示されている画像の色度に合わせることができる。つまり、携帯電子機器９０は、温度上昇によりディスプレイ１２に表示されている画像の色度が変化しても、プロジェクタ３４により投影されている投影画像の色度をディスプレイ１２に表示されている画像の色度に合わせることができる。これにより、携帯電子機器９０は、ユーザに与える違和感を低減できる。
【０１５９】
また、携帯電子機器９０は、プロジェクタ３４により投影されている投影画像の色度をＲＧＢセンサ９１により検出し、プロジェクタ３４のＲ、Ｇ、Ｂの各光源から射出される光を補正するので、壁面、スクリーン等が白色以外の色である場合であっても、投影画像の色度をディスプレイ１２に表示されている画像の色度に合わせることができる。例えば、携帯電子機器９０は、壁面等が青みがかっている場合、プロジェクタ３４のＲＧＢ光発生部３４ｃのＢ光源から射出されるＢ光を弱める又はＲ光源、Ｇ光源からそれぞれ射出されるＲ光、Ｇ光を強めることにより、プロジェクタ３４により投影されている投影画像の色度を補正し、投影画像の色度をディスプレイ１２に表示されている画像の色度に合わせることができる。これにより、携帯電子機器９０は、ユーザに与える違和感を低減できる。
【０１６０】
また、携帯電子機器９０は、プロジェクタ３４により投影されている投影画像の色度をＲＧＢセンサ９１により検出し、プロジェクタ３４のＲ、Ｇ、Ｂの各光源から射出される光を補正するので、プロジェクタ３４に個体差があっても、プロジェクタ３４により投影されている投影画像の色度をディスプレイ１２に表示されている画像の色度に合わせることができる。これにより、携帯電子機器９０は、ユーザに与える違和感を低減できる。
【０１６１】
また、携帯電子機器９０は、周囲の照度をＲＧＢセンサ９１により検出し、周囲の照度が所定の第１の閾値以上の場合には、携帯電子機器９０の周囲が明るすぎて投影画像が見づらい旨をユーザに通知することができる。これにより、ユーザは携帯電子機器９０の周囲が明るすぎて投影画像が見づらいことを知ることができる。
【０１６２】
また、携帯電子機器９０は、周囲の照度をＲＧＢセンサ９１により検出し、周囲の照度が所定の第２の閾値以下の場合にはディスプレイ１２及びプロジェクタ３４の明るさを最暗設定にすることができる。これにより、携帯電子機器９０は、消費電力を低減することができる。
【０１６３】
また、携帯電子機器９０は、プロジェクタ３４により投影されている投影画像の色度をＲＧＢセンサ９１により検出し、プロジェクタ３４のＲ、Ｇ、Ｂの各光源から射出される光を補正することにより、投影画像の色度をディスプレイ１２に表示されている画像の色度に合わせることができる。これにより、携帯電子機器９０は、ＲＧＢ光発生部３４ｃの光源を交換しなくても、プロジェクタ３４により投影されている投影画像の色度をディスプレイ１２に表示されている画像の色度に合わせることができ、ユーザに与える違和感を低減できる。
【０１６４】
なお、本実施形態では、１つのＲＧＢセンサ９１を設け、ＲＧＢセンサ９１によりプロジェクタ３４により投影されている投影画像の色度を検出することとしたが、ＲＧＢセンサをもう１つ設け、このＲＧＢセンサによりディスプレイ１２に表示されている画像の色度を検出することとしても良い。これにより、ディスプレイ温度特性テーブル２４ｂを用いた場合と比べて、ディスプレイ１２に表示されている画像の色度をより正確に検出することができる。また、ディスプレイ１２に個体差があってもディスプレイ１２に表示されている画像の色度を正確に検出することができる。これにより、携帯電子機器９０は、プロジェクタ３４により投影されている投影画像の色度をディスプレイ１２に表示されている画像の色度により正確に合わせることができ、ユーザに与える違和感を更に低減できる。
【産業上の利用可能性】
【０１６５】
以上のように、本発明にかかる携帯電子機器は、プロジェクタによって投影される画像やディスプレイに表示される画像が違和感を覚えさせないのに有用である。
【符号の説明】
【０１６６】
１０  携帯電子機器
１１  筐体
１２  ディスプレイ
１３  操作キー
１４  専用キー
１５  マイク
１６  レシーバ
２２  制御部
２４  記憶部
２４ａ  ガンマ補正テーブル
２４ｂ  ディスプレイ温度特性テーブル
２６  送受信部
２６ａ  アンテナ
２８  操作部
３０  音声処理部
３２  表示部
３４  プロジェクタ
３４ａ  光射出部
３４ｂ  モード設定レジスタ
３４ｃ  ＲＧＢ光発生部
３４ｄ  画像照射部
８０、９０  携帯電子機器
８１  温度センサ
９１  ＲＧＢセンサ
【図１】
0005944093.tif 000002
【図２】
0005944093.tif 000003
【図３】
0005944093.tif 000004
【図４】
0005944093.tif 000005
【図５】
0005944093.tif 000006
【図６】
0005944093.tif 000007
【図７】
0005944093.tif 000008
【図８−１】
0005944093.tif 000009
【図８−２】
0005944093.tif 000010
【図８−３】
0005944093.tif 000011
【図８−４】
0005944093.tif 000012
【図９】
0005944093.tif 000013
【図１０】
0005944093.tif 000014
【図１１−１】
0005944093.tif 000015
【図１１−２】
0005944093.tif 000016
【図１１−３】
0005944093.tif 000017
【図１２】
0005944093.tif 000018
【図１３】
0005944093.tif 000019
【図１４】
0005944093.tif 000020
【図１５−１】
0005944093.tif 000021
【図１５−２】
0005944093.tif 000022
【図１５−３】
0005944093.tif 000023
【図１６】
0005944093.tif 000024
【図１７】
0005944093.tif 000025
【図１８】
0005944093.tif 000026
【図１９】
0005944093.tif 000027
【図２０】
0005944093.tif 000028
【図２１】
0005944093.tif 000029
【図２２】
0005944093.tif 000030
【図２３】
0005944093.tif 000031